(57)【特許請求の範囲】
【請求項１】
動作状態に応じたモニタ信号を発生するモニタ信号発生手段を備えた電気錠が開閉体に設けられて２線式の線路の一端側に接続され、前記電気錠を制御するための信号を出力する制御器が前記線路の他端側に接続された電気錠システムにおいて、
前記制御器は、前記線路に接続されて所定周波数の駆動信号を発信する駆動用交流電源と、前記線路に接続されて前記駆動用交流電源とは異なる周波数のモニタ信号を前記線路に対して常時発信するモニタ用交流電源と、前記駆動用交流電源と前記線路との間に設けられた切替手段と、前記線路上の前記モニタ用交流電源による前記モニタ信号発生手段のモニタ信号に基づいて前記電気錠の施錠、解錠及び扉の開閉状態を判別した結果を判別信号として出力するモニタ信号検出手段と、該モニタ信号検出手段から前記判別信号が入力している状態で前記電気錠を施錠又は解錠するための信号が入力されたときに前記駆動用交流電源による駆動信号が前記モニタ用交流電源によるモニタ信号と一緒に前記線路に発信されるように前記切替手段を閉状態に切替制御する切替制御手段とを含んで前記開閉体外に設けられており、
前記線路には、前記切替制御手段の切替制御による前記切替手段の閉状態時に供給される前記駆動用交流電源による周波数の駆動信号で前記電気錠を駆動し、前記モニタ信号を発生させるための駆動源として前記モニタ用交流電源による周波数のモニタ信号を前記モニタ信号発生手段に供給する電気錠付加回路が設けられていることを特徴とする電気錠システム。
【請求項２】
前記制御器と前記電気錠付加回路との間は、開閉体外に設けられて前記駆動用交流電源及び前記モニタ用交流電源からの信号が供給される一次コイルと、前記開閉体が閉じられたときに前記一次コイルからの信号を受信するべく該一次コイルに対向して前記開閉体内に設けられた二次コイルとを備えた電磁結合器により接続された請求項１記載の電気錠システム。
【請求項３】
前記電気錠付加回路は、前記電磁結合器と前記電気錠の一方又は両方に着脱可能な別体構成とされた請求項２記載の電気錠システム。
【請求項４】
前記モニタ信号発生手段は、前記電気錠の施解錠、前記開閉体の開閉によるそれぞれの動作状態に応じて開閉される複数のスイッチを有したスイッチ手段と、異なる値に設定されて該スイッチ手段の各々のスイッチに接続された抵抗とを備え、
前記電気錠付加回路は、前記線路に発信される前記駆動用交流電源による周波数の駆動信号を通過させる駆動用フィルタと、前記スイッチ手段および前記抵抗を介して前記線路に接続され、該線路に発信される前記モニタ用交流電源による周波数のモニタ信号を通過させるモニタ用フィルタとを備えた請求項１〜３のいずれかに記載の電気錠システム。
【請求項５】
前記モニタ信号検出手段は、前記モニタ用交流電源からのモニタ信号のみを通過させるモニタ信号検出用フィルタと、前記スイッチ手段において閉状態のスイッチに対応する抵抗を負荷として該モニタ信号検出用フィルタを通過したモニタ信号による電圧値と予め設定された基準電圧値とを比較し、その差分電圧から前記電気錠及び開閉体の動作状態を示すモニタ信号を得る比較器とを備えた請求項４記載の電気錠システム。
【発明の詳細な説明】
【０００１】
【発明の属する技術分野】
この発明は、扉や引き戸などの開閉体に取り付けられた電気錠への駆動電力の供給と、電気錠の動作状態のモニタとを、異なる周波数の信号により行う電気錠システムに関する。
【０００２】
【従来の技術】
電気錠は、扉に取り付けられ、例えば扉内又は扉外に設置されたスイッチ、テンキーなどの入力器を操作して暗証番号を入力し、この入力された暗証番号が予め制御器に設定されている暗証番号と一致したときに、制御器より制御信号を出力して施錠又は解錠が行われるように構成されている。
【０００３】
尚、入力器としては、スイッチ、テンキーの他、予め暗証番号が記憶されたカードをカードリーダで読み取り、この読み取った暗証番号を制御器で照合して一致したときに電気錠の施解錠が行われるものもある。
【０００４】
ところで、電気錠を動作させる際には、電気錠に駆動電力を供給する必要がある。この駆動電力の供給方法としては、特開昭４８−４５３９９号、実開平４−３４３７０号に開示される電気錠装置が知られている。これら電気錠装置は、何れも電磁誘導を利用して電気錠に駆動電力を供給するものであり、その構成を図４乃至図６にそれぞれ示す。
【０００５】
図４及び図５の電気錠装置では、電線を扉枠側と扉側とに分離するべく、変圧器５１を構成する継鉄が一次コイル５２側の継鉄５３と二次コイル５４側の継鉄５５とに２分されている。一次コイル５２側の継鉄５３は、扉枠５６に埋設されている。二次コイル５４側の継鉄５５は、扉５７の一次コイル５２側の継鉄５３に対応する箇所に埋設されている。入力側となる一次コイル５２は、制御スイッチ５８及び閉扉時に接点が閉となるマイクロスイッチ５９を介して交流電源６０に接続されている。二次コイル５４には、電気錠６１のソレノイドが電気的に接続されている。二次コイル５４には、駆動電流の供給確認用ランプ６２が並列接続されている。
【０００６】
上記のように構成された電気錠装置では、扉５７を閉扉してマイクロスイッチ５９の接点が閉となり、制御スイッチ５８を閉じると、一次コイル５２に通電されて継鉄５３が励磁される。そして、一次コイル５２と対をなす二次コイル５４に磁束が流れて二次コイル５４に電流が誘起される。この電流によりソレノイドが励磁され、電気錠６１が施錠される。これに対し、施錠時に一次コイル５２が通電されると、電気錠６１が解錠される。
【０００７】
図６の電気錠装置は、予め記憶されているデータと入力されたデータとが一致したときに解錠されるべく扉７１側に設けられた電気錠本体７２と、枠側コミニュケーションヘッド７３が埋設された扉枠７４側の室内コントロールボックス７５とを備えて概略構成されている。
【０００８】
室内コントロールボックス７５は、所定周波数の交番電流を生成して枠側コミニュケーションヘッド７３の電力供給用コイル７６に供給する交流発振器７７と、枠側コミニュケーションヘッド７３内に設けられた通信用送受信コイル７８及び通信線７９を介してセンタ側と連結される通信制御部８０とを備えている。枠側コミニュケーションヘッド７３と対向する扉側コミニュケーションヘッド８１には、電力供給用コイル７６と通信用送受信コイル７８に対向した位置に電力受信用コイル８２と通信用送受信コイル８３とが設けられている。電力受信用コイル８２は、整流回路８４及び抵抗８５を介して電気錠本体７２の制御部８６に所定の直流電源を供給するバッテリ８７に接続されている。
【０００９】
制御部８６は、例えばキーカードを使用したシステムの場合、キーカードのデータを読み取り、予め記録されたデータと照合して演算処理し、両データが一致したときに、ソレノイドを駆動して電気錠を施錠又は解錠している。又、制御部８６は、通信用送受信コイル７８，８３を介して通信制御部８０との間でデータの授受を行っている。
【００１０】
上記のように構成された電気錠装置では、扉７１が閉じられると、扉側コミニュケーションヘッド８１と枠側コミニュケーションヘッド７３が対向し、電力供給用コイル７６から発振された交番電流が電力受信用コイル８２によって受信される。この受信された交番電流は整流回路８４で整流された後、バッテリ８７に蓄電されるとともに制御部８６に供給される。
【００１１】
制御部８６は、例えばキーカードに記録されているデータを読み取り、その内容が予めメモリに記録されているデータと一致したときに、ソレノイドを駆動して電気錠を施錠又は解錠する。又、制御部８６は、自ら演算した結果と、センタ側から問い合わせがあったときの応答データを通信用送受信コイル７８，８３、通信制御部８０を介してセンタとの間で交信する。これにより、センタ側で扉７１の開閉状態の管理が行われ、扉７１が開放されているときは、センタ側からの問い合わせに対して所定の回答が無いことで開扉の検出がなされる。
【００１２】
【発明が解決しようとする課題】
しかしながら、図４及び図５の電気錠装置では、交流電源６０が配設された制御側で電気錠６１の動作状態を示すモニタ信号を得ることが出来なかった。
【００１３】
すなわち、電気錠６１のモニタ信号がとれないことから、電気錠６１が施錠、解錠の何れの状態にあるのかを制御側から判断することが出来ず、制御とは言えない。又、電気錠６１の持つ特性上、施錠状態の確認が必須であるのに対し、本質的に施錠の確認が出来なかった。
【００１４】
又、制御対象となる電気錠６１の構造に大幅な制限がある。すなわち、電気錠６１の動作状態をモニタできないので、瞬時通電施解錠型の電気錠には使えない。無理に使えば、通電により施解錠どちらになるか不定となり、電気錠としての機能が無くなる。このため、事実上、通電時のみ施錠となる電気錠に限定される。又、開扉時は通電出来ないので、通電時施錠型の電気錠には使えるが、非通電施錠型の電気錠では、開扉のまま施錠されるおそれがあり、信頼性に欠ける。
【００１５】
これに対し、図６の電気錠装置でも、以下に示す問題点があった。すなわち、扉７１内の電気錠本体７２に制御部８６が設けられた構成なので、扉７１内に大型の電気回路が必要であった。このため、装置が大型化し、施工性も悪く、高価となるばかりか、扉の構造、デザイン的にもスペース上の制約を受けるという問題があった。
【００１６】
又、扉７１内の制御部８６とは別に扉外にも通信制御部８０が設けられた構成なので、扉７１外で電気錠のモニタ及び制御を行うには、シリアルデータによる制御部８６、８０間での通信が必要となる。このため、電気錠の動作状態をモニタするには別経路が必要となり、電気錠駆動用のコイル（電力供給用コイル７６、電力受信用コイル８２）と、モニタ用のコイル（通信用送受信コイル７８，８３）とを備えた２系統の線路が必要不可欠であった。
【００１７】
そこで、本発明は上記の事情に鑑み、電気錠の駆動と、電気錠及び開閉体の状態モニタとが１系統の線路により開閉体外の１つの制御器で行える電気錠システムを提供することを目的としている。
【００１８】
【課題を解決するための手段】
上記目的を達成するために、本発明による請求項１の電気錠システムは、動作状態に応じたモニタ信号を発生するモニタ信号発生手段を備えた電気錠が開閉体に設けられて２線式の線路の一端側に接続され、前記電気錠を制御するための信号を出力する制御器が前記線路の他端側に接続された電気錠システムにおいて、
前記制御器は、前記線路に接続されて所定周波数の駆動信号を発信する駆動用交流電源と、前記線路に接続されて前記駆動用交流電源とは異なる周波数のモニタ信号を前記線路に対して常時発信するモニタ用交流電源と、前記駆動用交流電源と前記線路との間に設けられた切替手段と、前記線路上の前記モニタ用交流電源による前記モニタ信号発生手段のモニタ信号に基づいて前記電気錠の施錠、解錠及び扉の開閉状態を判別した結果を判別信号として出力するモニタ信号検出手段と、該モニタ信号検出手段から前記判別信号が入力している状態で前記電気錠を施錠又は解錠するための信号が入力されたときに前記駆動用交流電源による駆動信号が前記モニタ用交流電源によるモニタ信号と一緒に前記線路に発信されるように前記切替手段を閉状態に切替制御する切替制御手段とを含んで前記開閉体外に設けられており、
前記線路には、前記切替制御手段の切替制御による前記切替手段の閉状態時に供給される前記駆動用交流電源による周波数の駆動信号で前記電気錠を駆動し、前記モニタ信号を発生させるための駆動源として前記モニタ用交流電源による周波数のモニタ信号を前記モニタ信号発生手段に供給する電気錠付加回路が設けられていることを特徴としている。
【００１９】
請求項２の電気錠システムは、請求項１の電気錠システムにおいて、前記制御器２と前記電気錠付加回路５との間は、開閉体７外に設けられて前記駆動用交流電源１１及び前記モニタ用交流電源１２からの信号が供給される一次コイル４ａと、前記開閉体が閉じられたときに前記一次コイルからの信号を受信するべく該一次コイルに対向して前記開閉体内に設けられた二次コイル４ｂとを備えた電磁結合器４により接続されている。
【００２０】
請求項３の電気錠システムは、請求項２の電気錠システムにおいて、前記電気錠付加回路５は、前記電磁結合器４と前記電気錠６の一方又は両方に着脱可能な別体構成としてもよい。
【００２１】
請求項４の電気錠システムは、請求項１〜３のいずれかの電気錠システムにおいて、前記モニタ信号発生手段２６は、前記電気錠６の施解錠、前記開閉体７の開閉によるそれぞれの動作状態に応じて開閉される複数のスイッチＳ２〜Ｓ４を有したスイッチ手段２３と、異なる値に設定されて該スイッチ手段の各々のスイッチに接続された抵抗Ｒ１〜Ｒ３とを備え、
前記電気錠付加回路５は、前記線路１７に発信される前記駆動用交流電源１１による周波数ｆ１の駆動信号を通過させる駆動用フィルタ５ａと、前記スイッチ手段および前記抵抗を介して前記線路に接続され、該線路に発信される前記モニタ用交流電源１２による周波数ｆ２のモニタ信号を通過させるモニタ用フィルタ５ｂとを備えた構成としてもよい。
【００２２】
請求項５の電気錠システムは、請求項４の電気錠システムにおいて、前記モニタ信号検出手段１４が、前記モニタ用交流電源１２からのモニタ信号のみを通過させるモニタ信号検出用フィルタ１８と、前記スイッチ手段２３において閉状態のスイッチに対応する抵抗を負荷として該モニタ信号検出用フィルタを通過したモニタ信号による電圧値と予め設定された基準電圧値とを比較し、その差分電圧から前記電気錠６及び開閉体７の動作状態を示すモニタ信号を得る比較器１９とを備えている。
【００２３】
上記構成による電気錠システムでは、例えば扉枠、室内外、扉近傍の壁面などの開閉体７の外に設けられた制御器２が２線式の線路１７を介して開閉体７内の電気錠６に接続される。制御器２におけるモニタ用交流電源１２は、電磁結合器４の一次コイル４ａに対して常時駆動電流を発信している。この駆動電流は電磁結合器４の二次コイル４ｂに誘起され、モニタ用フィルタ５ｂを介してモニタ信号発生手段２６に供給される。モニタ信号発生手段２６は、電気錠６、開閉体７の動作状態に応じてスイッチＳ２〜Ｓ４の開閉がなされる。例えば閉扉で施錠状態にあれば、施錠モニタ用スイッチＳ２と閉扉モニタ用スイッチＳ４とが閉じる。
【００２４】
制御器２におけるモニタ信号検出手段１４は、モニタ用交流電源１２からのモニタ信号のみをモニタ信号検出用フィルタ１８より通過させ、スイッチ手段２３の閉状態にあるスイッチＳ２，Ｓ４に対応する抵抗Ｒ１，Ｒ３を負荷としてモニタ信号検出用フィルタ１８を通過したモニタ信号による電圧値Ｅ１と予め設定された基準電圧値Ｅ２とを比較器１９で比較し、その差分電圧から電気錠６及び開閉体７の動作状態を示すモニタ信号を得る。
【００２５】
制御器２における制御手段１５は、例えば電気錠６を解錠するための信号が入力されると、モニタ用交流電源１２のモニタ信号と異なる周波数の駆動信号が駆動用交流電源１１から線路１７に発信されるように切替手段１３を切替制御する。この駆動用交流電源１１の駆動信号は、周波数の異なるモニタ用交流電源１２のモニタ信号と一緒に電磁結合器４に供給される。そして、駆動用交流電源１１の駆動信号により電気錠６が解錠される。又、モニタ用交流電源１２のモニタ信号がモニタ信号発生手段２６に供給され、電気錠６が動作状態に応じてスイッチＳ２〜Ｓ４の開閉がなされる。例えば電気錠６が解錠されると、解錠モニタ用スイッチＳ３のみが閉じる。
【００２６】
【発明の実施の形態】
図１は本発明による電気錠システムのブロック図であり、電気錠システムは、入力器１、制御器２、表示器３、電磁結合器４、電気錠付加回路５、電気錠６を備えて概略構成されている。
【００２７】
入力器１は、扉７の外、例えば扉枠、室内外、扉７近傍の壁面などに設けられ、制御器２に電気的に配線されている。入力器１は、電気錠６を施錠又は解錠する際に直接操作者によって操作されるもので、例えばスイッチ、テンキー、カードリーダなどで構成される。
【００２８】
具体的には、入力器１がスイッチやテンキーで構成される場合、スイッチやテンキーを操作することにより、電気錠６を施錠又は解錠するためのデータ、例えば暗証番号が入力される。又、入力器１がカードリーダで構成される場合には、電気錠６の施錠又は解錠を許可するためのデータ、例えば暗証番号が予め記憶されたカードが挿入されると、このカードのデータをカードリーダで読み取る。この入力器１によるデータは、電気錠６を施錠又は解錠するための入力信号として制御器２に入力される。
【００２９】
制御器２は、扉７の外、例えば扉枠、室内外、扉７近傍の壁面などに設けられ、駆動用交流電源１１、モニタ用交流電源１２、切替手段１３、モニタ信号検出手段１４、制御部１５を備えている。制御器２では、電気錠６の施錠、解錠及び扉７の開閉についての状態モニタを常時行いつつ、電気錠６を施錠又は解錠するための入力器１によるデータ入力の有無を判断し、この判断結果により切替手段１３を開閉して電気錠６に対する駆動用電圧の供給を制御している。
【００３０】
駆動用交流電源１１は、例えば平衡ケーブルや同軸ケーブルによる２線式の第１の線路１６により、一方の出力端１１ａが切替手段１３を介してモニタ用交流電源１２の一方の出力端１２ａに、他方の出力端１１ｂがモニタ用交流電源１２の他方の出力端１２ｂにそれぞれ接続されている。第１の線路１６は、例えば平衡ケーブルや同軸ケーブルによる２線式の第２の線路１７を介して電磁結合器４に接続されている。駆動用交流電源１１は、不図示の室内配線により供給される１００Ｖの交流電源を元にして後述する電気錠６のアクチュエータ２２を駆動するための周波数ｆ１の駆動電流を第１の線路１６に発信している。
【００３１】
モニタ用交流電源１２は、後述する電気錠６のモニタ用スイッチ２３を介してモニタ信号を取り出すべく、不図示の室内配線により供給される１００Ｖの交流電源を元にして駆動用交流電源１１とは異なる周波数ｆ２のモニタ電流を第１の線路１６及び第２の線路１７を介して常時電磁結合器４に発信している。
【００３２】
切替手段１３は、駆動用交流電源１１の一方の出力端１１ａと、第１の線路１６と第２の線路１７との接続点Ｐ１との間に介挿されたスイッチＳ１で構成されている。この切替手段１３は、後述する制御部１５の切替制御手段１５ｃより切替信号が入力しているときにスイッチＳ１が閉状態に切替え制御される。切替手段１３のスイッチＳ１が閉状態に切り替わると、駆動用交流電源１１からの駆動電流がモニタ用交流電源１２のモニタ電流とともに第１の線路１６及び第２の線路１７を介して電磁結合器４に発信される。
【００３３】
モニタ信号検出手段１４は、モニタ信号検出用フィルタ１８と比較器１９を備えている。４端子回路からなるモニタ信号検出用フィルタ１８は、入力端子１８ａが第２の線路１７に接続され、出力端子１８ｂが比較器１９に接続されている。モニタ信号検出用フィルタ１８は、第２の線路１７に流れる交流電流のうち、モニタ用交流電源１２による周波数ｆ２のモニタ電流のみを通過させている。尚、モニタ信号検出用フィルタ１８は、周波数ｆ１の駆動電流を通過させないフィルタ特性のものであってもよい。
【００３４】
比較器１９は、モニタ用交流電源１２の交流電圧をモニタ信号検出用フィルタ１８を通して電圧Ｅ１として受け、予め設定された比較基準電圧Ｅ２と比較し、その電圧差による比較結果をモニタ信号として制御部１５へ出力している。
【００３５】
制御部１５は、照合判別手段１５ａ、モニタ信号判別手段１５ｂ、切替制御手段１５ｃ、表示制御手段１５ｄを備えて構成されている。
【００３６】
照合判別手段１５ａは、扉７の施解錠を許可するべく予め登録された照合用暗証番号と、入力器１から入力された暗証番号とを照合し、一致したときのみ一致信号を切替制御手段１５ｃ及び表示制御手段１５ｄに出力している。
【００３７】
モニタ信号判別手段１５ｂは、比較器１９から入力される差分電圧によるモニタ信号から電気錠６の施錠、解錠及び扉７の開閉状態を判別し、その結果を判別信号として切替制御手段１５ｃ及び表示制御手段１５ｄに出力している。
【００３８】
切替制御手段１５ｃは、照合判別手段１５ａからの一致信号と、モニタ信号判別手段１５ｂからの判別信号を入力として切替手段１３のスイッチＳ１を開閉制御している。すなわち、切替制御手段１５ｃは、モニタ信号判別手段１５ｂから判別信号が入力している状態で、照合判別手段１５ａから一致信号が入力されたときに、切替手段１３に切替信号を出力してスイッチＳ１を閉状態に切り替える。
【００３９】
表示制御手段１５ｄは、照合判別手段１５ａからの一致信号と、モニタ信号判別手段１５ｂからの判別信号に基づいて、電気錠６及び扉７の状態を表示するための表示制御信号を表示器３に出力している。
【００４０】
表示器３は、表示制御手段１５ｄからの表示制御信号に基づいて入力器１による暗証番号の照合結果表示や電気錠６及び扉７の各種状態表示を行っている。表示器３は、例えば暗証番号の照合結果、電気錠６及び扉７の動作状態を点灯により表示するＬＥＤ、暗証番号の照合結果、電気錠６及び扉７の動作状態を文字情報として表示する液晶などで構成される。例えば表示器３をＬＥＤで構成した場合には、照合用ＬＥＤ、施錠用ＬＥＤ、解錠用ＬＥＤ、閉扉用ＬＥＤが設けられる。
【００４１】
そして、表示制御手段１５ｄから入力される表示制御信号が「照合一致」を示すときには照合用ＬＥＤが、「施錠」を示すときには施錠用ＬＥＤが、「解錠」を示すときには解錠用ＬＥＤが、「閉扉」を示すときには閉扉用ＬＥＤがそれぞれ点灯する。又、表示器３が液晶で構成される場合には、表示制御信号が示す内容に応じて「照合一致」、「施錠状態」、「解錠状態」、「閉扉状態」のように、暗証番号の照合結果、電気錠６及び扉７の動作状態を示す情報表示がなされる。
【００４２】
電磁結合器４は、扉７を境に分離して設けられた一次コイル４ａと二次コイル４ｂとを有している。一次コイル４ａは、扉７の外に位置する扉枠に埋設されて第２の線路１７に接続されている。二次コイル４ｂは、出力端にコネクタ４Ａが設けられ、扉７が閉められた状態で一次コイル４ａに対向した位置の扉７内に埋設されている。
【００４３】
電気錠付加回路５は、入力端にコネクタ５Ａが設けられたアダプタ構造となっている。電気錠付加回路５は、出力端が電気錠６に予め配線された状態で、コネクタ５Ａが二次コイル４ｂのコネクタ４Ａに着脱可能に接続される。尚、電気錠付加回路５の出力端及び電気錠６の入力端にもそれぞれコネクタを設け、着脱可能に接続できる構成とすることもできる。これにより、電磁結合器４と電気錠６との間に電気錠付加回路５を配設する際の手間が省け、より施工性の向上が図れる。
【００４４】
電気錠付加回路５は、扉７内に設けられ、駆動信号通過手段としての駆動用フィルタ５ａ、モニタ信号通過手段としてのモニタ用フィルタ５ｂ、負荷手段としての負荷抵抗５ｃを備えて構成されている。
【００４５】
駆動用フィルタ５ａは、入力端がコネクタ５Ａに接続され、出力端が後述する電気錠６のアクチュエータ２２に接続されている。駆動用フィルタ５ａは、図２に示すように、例えばコイルＬ１とコンデンサＣ１の並列回路からなり、電磁結合器４において一次コイル４ａから二次コイル４ｂに誘起された交流電流のうち、後述する電気錠６のアクチュエータ２２を駆動制御するための周波数ｆ１の駆動電流のみを通過させている。尚、駆動用フィルタ５ａは、周波数ｆ２のモニタ電流を通過させないフィルタ特性のものであってもよい。
【００４６】
モニタ用フィルタ５ｂは、入力端が二次コイル４ｂと駆動用フィルタ５ａとの間の例えば平衡ケーブルや同軸ケーブルによる線路２１の一方に接続され、出力端が後述する電気錠６のモニタ用スイッチ２３に接続されている。モニタ用フィルタ５ｂは、図２に示すように、例えばコイルＬ２とコンデンサＣ２の並列回路からなり、電磁結合器４において一次コイル４ａから二次コイル４ｂに誘起された交流電流のうち、電気錠６及び扉７の状態をモニタするための周波数ｆ２のモニタ電流のみを後述する電気錠６のモニタ用スイッチ２３へ通過させている。尚、モニタ用フィルタ５ｂは、周波数ｆ１の駆動電流を通過させないフィルタ特性のものであってもよい。
【００４７】
そして、電気錠付加回路５は、図２に示すように、駆動用フィルタ５ａの出力端が整流回路２４、平滑コンデンサ２５を介してアクチュエータ２２に接続され、アクチュエータ２２を直流の駆動電流により駆動する構成とされている。尚、アクチュエータ２２が交流の駆動電流により駆動される場合には、整流回路２４と平滑コンデンサ２５が不要となる。
【００４８】
負荷抵抗５ｃは、一端が線路２１の他方に接続され、他端が後述するモニタ用スイッチ２３に接続されている。負荷抵抗５ｃは、後述する電気錠６のモニタ用スイッチ２３の数に対応して各スイッチに接続される複数の抵抗Ｒを有しており、各抵抗Ｒの値はそれぞれ異なる値に設定されている。図１及び図２の例では、抵抗Ｒ１が電気錠６の施錠状態、抵抗Ｒ２が電気錠６の解錠状態、抵抗Ｒ３が扉７の閉状態にそれぞれ対応している。
【００４９】
電気錠６は、扉７内に設けられており、扉枠側のストライクに対するラッチボルト（又はデッドボルト）の移動を阻止又は解除する例えばソレノイド、モータなどのアクチュエータ２２と、電気錠６及び扉７の動作状態（施錠、解錠、閉扉）を示すモニタ信号を発生させるモニタ用スイッチ２３とを備えている。
【００５０】
アクチュエータ２２は、一端が駆動用フィルタ５ａの出力端に接続され、他端が線路２１を介して二次コイル４ｂに接続されている。アクチュエータ２２は、電磁結合器４の一次コイル４ａから二次コイル４ｂに誘起された電流のうち、駆動用フィルタ５ａを通過した周波数ｆ１の信号を駆動信号として駆動される。
【００５１】
モニタ用スイッチ２３は、モニタ用フィルタ５ｂと負荷抵抗５ｃとの間に接続されており、電気錠６及び扉７の動作状態に応じて開閉が行われる複数のスイッチを有している。図１の例において、モニタ用スイッチ２３は、モニタ用フィルタ５ｂに対して並列接続された施錠モニタ用スイッチＳ２、解錠モニタ用スイッチＳ３、閉扉モニタ用スイッチＳ４の３つのスイッチで構成される。このモニタ用スイッチ２３は、負荷抵抗５ｃとにより、電気錠６及び扉７の動作状態に応じた信号を発生するモニタ信号発生手段２６を構成している。
【００５２】
施錠モニタ用スイッチＳ２は、例えばマイクロスイッチからなり、負荷抵抗５ｃの抵抗Ｒ１に直列接続されている。施錠モニタ用スイッチＳ２は、電気錠６が施錠状態のときに閉じられる。これにより、モニタ用フィルタ５ｂを通過した周波数ｆ２のモニタ電流が抵抗Ｒ１に流れる。
【００５３】
解錠モニタ用スイッチＳ３は、例えばマイクロスイッチからなり、負荷抵抗５ｃの抵抗Ｒ２に直列接続されている。解錠モニタ用スイッチＳ３は、電気錠６が解錠状態のときに閉じられる。これにより、モニタ用フィルタ５ｂを通過した周波数ｆ２のモニタ電流が抵抗Ｒ２に流れる。
【００５４】
閉扉モニタ用スイッチＳ４は、例えばリードスイッチからなり、負荷抵抗５ｃの抵抗Ｒ３に直列接続されている。閉扉モニタ用スイッチＳ４は、扉７が閉扉状態のときに閉じられる。これにより、モニタ用フィルタ５ｂを通過した周波数ｆ２のモニタ電流が抵抗Ｒ３に流れる。
【００５５】
次に、上記構成による電気錠システムの動作を説明する前に、制御器２側で電気錠６及び扉７の状態モニタが可能である理由について説明する。尚、前述したように、モニタ用スイッチ２３における施錠モニタ用スイッチＳ２は施錠時に、解錠モニタ用スイッチＳ３は解錠時に、閉扉モニタ用スイッチＳ４は閉扉時にそれぞれ閉じるものとする。
【００５６】
制御器２における比較器１９は、モニタ信号検出用フィルタ１８を介してモニタ用交流電源１２の出力電圧Ｅ１を見ているが、図１に示すように、モニタ用交流電源１２の負荷として抵抗Ｒ１，Ｒ２，Ｒ３が存在する。
【００５７】
従って、モニタ用交流電源１２の見かけ上の出力電圧Ｅ１は、抵抗Ｒ１，Ｒ２，Ｒ３の負荷となる状態によって決まる。すなわち、出力電圧Ｅ１は、モニタ用交流電源１２に出力インピーダンスがあるため、モニタ用交流電源１２の出力電圧をモニタ用交流電源１２の出力インピーダンスと抵抗Ｒ１，Ｒ２，Ｒ３とを分割したものとして与えられる。従って、モニタ用スイッチ２３の開閉状態（負荷状態）に応じて電圧値が決まることになる。
【００５８】
そして、負荷抵抗５ｃとしての抵抗Ｒ１，Ｒ２，Ｒ３がそれぞれ異なる値に設定されているので、出力電圧Ｅ１の値が電気錠６の状態、すなわち、モニタ用スイッチ２３における各スイッチＳ２〜Ｓ４の開閉に対応しており、電気錠６及び扉７の動作状態（施錠、解錠、閉扉）のモニタがとれることになる。
【００５９】
次に、電気錠システムの具体的な動作について説明する。
モニタ用交流電源１２は、入力器１からの入力信号の有無に関係なく、第１の線路１６、第２の線路１７を介して電磁結合器４の一次コイル４ａに常時周波数ｆ２のモニタ電流を供給している。
【００６０】
そして、今、閉扉状態で電気錠６が施錠されていると、モニタ用スイッチ２３の施錠モニタ用スイッチＳ２と閉扉モニタ用スイッチＳ４とが閉じている。これにより、一次コイル４ａに供給されている周波数ｆ２のモニタ電流は、二次コイル４ｂに誘起された後にモニタ用フィルタ５ｂを通過し、施錠モニタ用スイッチＳ２及び閉扉モニタ用スイッチＳ４を介して負荷抵抗５ｃにおける抵抗Ｒ１及びＲ３に流れることになる。
【００６１】
ここで、モニタ信号検出用フィルタ１８は、モニタ用交流電源１２による周波数ｆ２のモニタ電流のみを比較器１９に通過させる。比較器１９は、モニタ用交流電源１２による周波数ｆ２の交流電圧を抵抗Ｒ１及びＲ３を負荷とする電圧Ｅ１として受ける。比較器１９では、モニタ信号検出用フィルタ１８を介して受けた電圧Ｅ１と予め設定された基準電圧Ｅ２とを比較し、その電圧差から電気錠６及び扉７の動作状態、すなわち、閉扉で電気錠６が施錠状態にある旨のモニタ信号をモニタ信号判別手段１５ｂに出力する。
【００６２】
モニタ信号判別手段１５ｂは、比較器１９より入力されるモニタ信号から閉扉で電気錠６が施錠状態にあると判別し、「閉扉・施錠状態」を示す判別信号を切替制御手段１５ｃ及び表示制御手段１５ｄに出力する。
【００６３】
次に、閉扉で施錠状態にある電気錠６を解錠するべく、入力器１より暗証番号が入力されると、この暗証番号は照合判別手段１５ａにおいて予め登録された暗証番号と照合され、両暗証番号が一致したときのみ切替制御手段１５ｃ及び表示制御手段１５ｄに一致信号が出力される。
【００６４】
そして、切替制御手段１５ｃは、モニタ信号判別手段１５ｂより「閉扉・施錠状態」を示す判別信号が入力している状態で、照合判別手段１５ａより一致信号が入力されると、切替手段１３に切替信号を出力してスイッチＳ１を閉じる。スイッチＳ１が閉じると、駆動用交流電源１１からは、周波数ｆ１の駆動電流が切替手段１３のスイッチＳ１を通り、モニタ用交流電源１２からの周波数ｆ２のモニタ電流と一緒に第１の線路１６、第２の線路１７を介して電磁結合器４の一次コイル４ａに供給される。
【００６５】
表示制御手段１５ｄは、モニタ信号判別手段１５ｂからの「閉扉・施錠状態」を示す判別信号と、照合判別手段１５ａからの一致信号とが入力されると、表示器３における例えば照合用ＬＥＤを点灯し、暗証番号の照合結果、電気錠６及び扉７の現在の動作状態を表示させる。
【００６６】
そして、一次コイル４ａに供給されている周波数ｆ１，ｆ２の交流電流が二次コイル４ｂに誘起されると、周波数ｆ１の駆動電流は駆動用フィルタ５ａを通過して電気錠６のアクチュエータ２２に供給される。アクチュエータ２２は、周波数ｆ１の駆動電流を駆動源とし、扉枠側のストライクに係合しているラッチボルト（又はデッドボルト）の移動の阻止を解除する。これにより、電気錠６が解錠される。
【００６７】
この電気錠６が解錠された状態で不図示のレバーハンドルを操作し、ラッチボルト（又はデッドボルト）をストライクから後退させることで扉７が開く。この動作により、電気錠６が解錠され開扉されると、それまで閉じていたモニタ用スイッチ２３における施錠モニタ用スイッチＳ２及び閉扉モニタ用スイッチＳ４が開き、解錠モニタ用スイッチＳ３が閉じる。
【００６８】
これにより、一次コイル４ａから二次コイル４ｂに誘起された周波数ｆ２のモニタ電流は、モニタ用フィルタ５ｂを通過し、電気錠６のモニタ用スイッチ２３の解錠モニタ用スイッチＳ３を介して負荷抵抗５ｃの抵抗Ｒ２にのみに流れることになる。
【００６９】
そして、比較器１９は、モニタ用交流電源１２による周波数ｆ２の交流電圧を抵抗Ｒ２を負荷とする電圧Ｅ１として受ける。比較器１９では、モニタ信号検出用フィルタ１８を介して受けた電圧Ｅ１と予め設定された基準電圧Ｅ２とを比較し、その電圧差から電気錠６及び扉７の動作状態、すなわち、電気錠６が解錠して開扉状態にある旨のモニタ信号をモニタ信号判別手段１５ｂに出力する。
【００７０】
モニタ信号判別手段１５ｂは、比較器１９より入力されるモニタ信号から電気錠６が解錠して開扉状態にあると判別し、「解錠・開扉状態」を示す判別信号を切替制御手段１５ｃ及び表示制御手段１５ｄに出力する。
【００７１】
表示制御手段１５ｄは、モニタ信号判別手段１５ｂからの「解錠・開扉状態」を示す判別信号が入力されると、表示器３における例えば解錠用ＬＥＤを点灯して電気錠６及び扉７の現在の動作状態を表示させる。
【００７２】
ところで、電気錠６には、アクチュエータ２２への瞬時の通電により施解錠する瞬時通電施解錠型の電気錠（例えばオフィス出入口、玄関に使用）、瞬時の通電により解錠する瞬時通電解錠型の電気錠（例えば非常口に使用）、アクチュエータ２２への連続通電により施錠する通電時施錠型の電気錠（例えば非常口に使用）などがある。このため、上述した動作において切替手段１３のスイッチＳ１を閉から開に切り替えるタイミングは、電気錠６の駆動形式に応じて切替制御手段１５ｃが制御することになる。
【００７３】
尚、解錠して開扉状態にある電気錠６を施錠させる場合についても上記動作と同様の手順で実行される。すなわち、扉７が閉められると、そのときの電気錠６及び扉７の動作状態が制御器２側でモニタされ、入力器１から入力された暗証番号が予め登録された照合用暗証番号と一致すると、駆動用交流電源１１による周波数ｆ１の駆動電流がモニタ用交流電源１２による周波数ｆ２のモニタ電流と一緒に電磁結合器４を介して電気錠６に供給される。そして、周波数ｆ１の駆動電流によりアクチュエータ２２を駆動して電気錠６が施錠され、周波数ｆ２のモニタ電流がモニタ用スイッチ２３に供給される。
【００７４】
従って、上記電気錠システムによれば、電気錠６を施解錠するにあたって、電気錠６の駆動と、電気錠６及び扉７の状態モニタとを扉７の外（例えば扉枠、室内外、扉７近傍の壁面など）に設けられた１つの制御器２により電磁結合器４を介して１系統の線路で行うことができる。この際、扉７内に設けられる電気錠６は、標準装備した既製のものをそのまま使用することができる。又、制御器２と電気錠６とは、扉７側と扉枠側とに分離して配設された電磁結合器４を介して接続されるので、扉７と扉枠との間の配線にかかる施工の手間が省ける。
【００７５】
扉７内に設けられる部品としては、電気錠６の他、起電力を含まないコイル、コンデンサ、抵抗などの受動素子で構成される電気錠付加回路５だけであり、従来のように扉７側に電源を備えた制御器を必要としないので、電気錠システムを安価に構成できる。しかも、電気錠付加回路５は、電磁結合器４（及び電気錠５）に対して着脱可能な別体構成なので、工事にかかる手間が省け、従来に比べて施工性についても改善できる。
【００７６】
制御器２は、１系統の線路１７、電磁結合器４を介して電気錠６及び扉７の動作状態を示すモニタ出力が常時とれるので、非通電時に施錠される錠を除く電気錠、例えば瞬時印加される駆動電流により電気錠６の状態が施錠から解錠、又は解錠から施錠へと変化する瞬時通電施解錠型の電気錠（例えばオフィス出入口、玄関などに使用）、駆動電流が通電されている間で電気錠６が施錠される通電時施錠型の電気錠（例えば非常口などに使用）、電気的な施錠は無く瞬時印加される駆動電流により電気錠６が解錠される瞬時通電解錠型の電気錠（例えば非常口などに使用）に適用することができる。
【００７７】
次に、図３は本発明による電気錠システムの他の実施の形態のブロック図を示している。この電気錠システムは、図１の電気錠システムが扉７と扉枠との間に配設された電磁結合器４を介して制御器２と電気錠６とを電気的に接続しているのに対し、電磁結合器４が省かれた２線式の線路１７により制御器２と電気錠６とを電気的に接続している点で相違している。又、第２の線路１７の出力端にコネクタ１７Ａが設けられており、このコネクタ１７Ａに電気錠付加回路５のコネクタ５Ａが着脱可能に接続される。尚、その他の構成については図１の電気錠システムと同一である。
【００７８】
この構成の電気錠システムによれば、電磁結合器４が削減されるので、構成を簡素化させた状態で、電気錠６の駆動と、電気錠６及び扉７の状態モニタとを１系統の線路１７を介して行うことができる。
【００７９】
又、制御器２は、１系統の線路１７を介して電気錠６及び扉７の動作状態を示すモニタ出力が常時とれるので、瞬時通電施解錠型、通電時施錠型、瞬時通電解錠型の電気錠は勿論のこと、駆動電流の非通電時に閉扉自動施錠し、通電中は解錠して通電が切れると施錠する通電時解錠型の電気錠（例えばマンション共用玄関、通用口などに使用）を含めて種々の電気錠に適用することができる。
【００８０】
ところで、上記各実施の形態では、アクチュエータ２２の前段に駆動用フィルタ５ａを配設した構成について説明したが、駆動用交流電源１１の駆動電流の周波数ｆ１に対してモニタ用交流電源１２のモニタ電流の周波数ｆ２が十分に高く、アクチュエータ２２が周波数ｆ２のモニタ用交流電源１２に対して充分大きな交流インピーダンスを示す場合、周波数ｆ２によるモニタ電流は、アクチュエータ２２には流れず、モニタ用スイッチ２３側にしか流れないことので、駆動用フィルタ５ａを省略することができる。
【００８１】
又、切替手段１３のスイッチＳ１は、制御部１５からの切替信号によって開閉制御される構成であるが、切替手段１３を押釦スイッチで構成して操作者の押動操作により開閉制御する構成としてもよい。
【００８２】
【発明の効果】
以上説明したように、本発明によれば、電気錠を施解錠するにあたって、電気錠の駆動と、電気錠及び開閉体の状態モニタとを例えば扉枠、室内外、扉近傍の壁面などの開閉体外に設けられた１つの制御器により１系統の線路で行うことができる。この際、開閉体内に設けられる電気錠は、標準装備した既製のものをそのまま使用することができる。
【００８３】
開閉体内に設けられる部品として、電気錠の他には、起電力を含まない受動素子による電気錠付加回路だけなので、従来のように扉側に電源を備えた制御器を必要せず、電気錠システムを安価に構成できる。
【００８４】
電気錠付加回路は、電磁結合器、電気錠の少なくとも一方に対して着脱可能な別体構成なので、従来に比べて施工性についても改善できる。
【図面の簡単な説明】
【図１】本発明による電気錠システムのブロック図
【図２】同電気錠システムにおいて電気錠を直流駆動する場合の電気付加回路の回路構成を示す図
【図３】同電気錠システムの他の実施の形態によるブロック図
【図４】電磁誘導を利用して電気錠に駆動電力を供給する電気錠装置の一例を示す概略図
【図５】図４の電気錠装置の電気回路図
【図６】電磁誘導を利用して電気錠への駆動電力の供給及び電気錠とセンタ間でのデータの授受を行う電気錠装置の一例を示すブロック図
【符号の説明】
２…制御器、４…電磁結合器、４ａ…一次コイル、４ｂ…二次コイル、５…電気錠付加回路、６…電気錠、７…扉（開閉体）、１１…駆動用交流電源、１２…モニタ用交流電源、１３…切替手段、１４…モニタ信号検出手段、１５…制御部、１７…線路、１８…モニタ信号検出用フィルタ、１９…比較器、２３…モニタ用スイッチ、２６…モニタ信号発生手段。
【図１】
0003859760.tif 000002
【図２】
0003859760.tif 000003
【図３】
0003859760.tif 000004
【図４】
0003859760.tif 000005
【図５】
0003859760.tif 000006
【図６】
0003859760.tif 000007